(57)【要約】【課題】ほぼ真下に球を補給し、途中で球の流下勢を減殺して球タンクに一旦供給した球が飛び出すことを防止することができ、球を球タンク内に確実に供給する。【解決手段】固定側流路部材１４に形成した第１球流下路１３は、下端部分を縦方向から斜め下方に湾曲した湾曲流下部が形成され、該湾曲流下部の下端出口を斜め下方に向けて開口し、可動流路部材１７は、湾曲流下部の下端出口とは反対側に配置した支軸４６を中心に回動可能な状態で固定側流路部材に取り付け、可動流路部材に形成した第２流下路１６の上端開口部の低い方の縁が第１ストッパー部として第１流下路の下端出口の直ぐ下に位置して球の流下を阻止する。【選択図】　　図５
2004081505.tif 000002
【特許請求の範囲】
【請求項１】
遊技機を設置するとともにその上方に球補給樋を設けた島設備側に取り付けられ、前記球補給樋から分岐した分岐管の下端を接続する分岐管接続部と、
該分岐管接続部に連通する第１流下路が縦方向に形成され島設備に取り付けられる固定側流路部材と、
前記遊技機の前面枠の裏側上部に配設された球タンクに当接可能なレバーと、
該レバーを球タンク側に付勢する付勢手段と、
ストッパー部を有すると共に前記レバーの移動に伴って回動し、前記第１流下路に連通可能な第２流下路が形成された可動流路部材と、
該可動流路部材内に形成されて上記第１流下路に連通可能な第２流下路と、
を有し、上記前面枠が閉じられて球タンクがレバーを所定位置まで後退させることにより可動流路部材が所定位置まで回動すると、前記ストッパー部が第１流下路の下端出口側から待避して第２流下路が第１流下路に連通して第２流下路の下端出口から球を球タンク内に供給可能な第１状態と、レバーが所定位置から外れると第１流下路の下端出口にストッパー部が位置して球の供給を停止する第２状態とに変換可能な遊技機島設備における球補給調整装置であって、
前記第１球流下路は、下端部分を縦方向から斜め下方に湾曲した湾曲流下部が形成され、該湾曲流下部の下端出口を斜め下方に向けて開口するように構成され、
前記可動流路部材は、前記第２流下路を区画形成する第１流路区画形成部と第２流路区画形成部を当該第２流下路の前後に形成するとともに、前記湾曲流下部の下端出口とは第１流下路を挟んで反対側の所定位置に配置した支軸を中心に回動可能な状態で固定側流路部材に取り付けられ、第１状態においては斜めに開口した第２流下路の上端開口部が湾曲流下部の下端出口に連通して該連通部分から第２流下路が湾曲して縦方向に延在し、第２状態においては前記上端開口部の後ろに位置する前記第１流路区画形成部の上端がストッパー部として第１流下路の下端出口の直ぐ下に位置して第１流下路内の球の流下を阻止するように構成されている、
ことを特徴とする遊技機島設備における球補給調整装置。
【請求項２】
前記第１流下路は、下端出口が支軸を中心とする曲面に沿って成形され、
第２流下路は、上端開口部が支軸を中心とする曲面に沿って成形されていることを特徴とする請求項１に記載の遊技機島設備における球補給調整装置。
【請求項３】
前記レバーが塑性変形可能な金属で構成され、レバーの所定部分を変形させることにより球タンクとの当接状態を調整可能としたことを特徴とする請求項１または請求項２に記載の遊技機島設備における球補給調整装置。
【請求項４】
前記固定側流路部材はスライドベースに取り付けられ、該スライドベースは、遊技機島設備に固定された固定ベースに対して上下方向にスライド可能であることを特徴とする請求項１から請求項３のいずれかに記載の遊技機島設備における球補給調整装置。
【請求項５】
前記レバーの回動に連動して作動する検出器を備え、該検出器により前面枠の開放状態を検出可能としたことを特徴とする請求項１から請求項４のいずれかに記載の遊技機島設備における球補給調整装置。
【請求項６】
前記スライドベース側に、前記検出器を可動流路部材に隣接した状態で取り付けるとともに、可動流路部材と一体的に回動する作動部材を設け、該作動部材を検出器の検出作動突起に当接可能とし、前記レバーの回動に伴って作動部材が回動して検出器の作動突起に作用し、前面枠の開放状態を検出可能としたことを特徴とする請求項５に記載の遊技機島設備における球補給調整装置。
【発明の詳細な説明】
【０００１】
【発明の属する技術分野】
本発明は、球を使用するパチンコ遊技機などの遊技機に、球をほぼ真下に向けて供給する遊技機島設備における球補給調整装置に関する。
【０００２】
【従来の技術】
球を真下に向けて遊技機の球タンク内に供給する従来の球補給調整装置としては、垂直方向に設けた供給管の下端に短尺な可動管部材を枢軸により回動自在に支持し、該可動管部材と共に回動する被当接部材を上記枢軸を中心にして回動するように設けたものが提案されている。そして、この球補給調整装置は、パチンコ機の前面枠を閉じると被当接部材が球タンクの後退に追従し、これにより可動管部材が垂下姿勢になって供給管と連通して賞球の補給を可能とし、前面枠を開くと球タンクの前進に追従して被当接部材が回動し、これにより可動管部材が振り上げ状態に変換するとともにストッパが供給管の下端に進出して賞球の流下を阻止する構成である（例えば、特許文献１として、特開平７−２４１３６９号公報参照）。
【０００３】
【発明が解決しようとする課題】
ところが、従来の球補給調整装置は、球を真下に向けて補給するので、球の流下速度が大きくなりすぎ、このため一旦球タンク内に供給された球が弾んで球タンクから飛び出すことがある。また、前面枠を開き始めると直ぐに可動管部材を振り上げて補給を停止する状態に切り換えなければならないので、球タンクの槽壁の内側近傍に可動管部材が垂下姿勢になるように配置しなければならず、このため、球タンクの中央に球を落下させることが困難であった。これも球タンクから球が飛び出す原因の１つであった。
【０００４】
そして、従来の球補給調整装置では可動管部材と被当接部材の回動中心が一致、或いはその近くに配置されるので、可動管部材の出口を斜めに向けて停止するように構成したとしても球タンクの中央に補給することはできず、球の飛び出しの防止を図ることは極めて困難であった。
【０００５】
本発明は上記した事情に鑑み提案されたもので、その目的は、ほぼ真下に球を補給し、途中で球の流下勢を減殺して球タンクに一旦供給した球が飛び出すことを防止することができ、球を球タンク内に確実に供給することができる球補給調整装置を提供しようとするものである。
【０００６】
【課題を解決するための手段】
本発明は上記目的を達成するために提案されたもので、請求項１に記載のものは、遊技機を設置するとともにその上方に球補給樋を設けた島設備側に取り付けられ、前記球補給樋から分岐した分岐管の下端を接続する分岐管接続部と、
該分岐管接続部に連通する第１流下路が縦方向に形成され島設備に取り付けられる固定側流路部材と、
前記遊技機の前面枠の裏側上部に配設された球タンクに当接可能なレバーと、
該レバーを球タンク側に付勢する付勢手段と、
ストッパー部を有すると共に前記レバーの移動に伴って回動し、前記第１流下路に連通可能な第２流下路が形成された可動流路部材と、
該可動流路部材内に形成されて上記第１流下路に連通可能な第２流下路と、
を有し、上記前面枠が閉じられて球タンクがレバーを所定位置まで後退させることにより可動流路部材が所定位置まで回動すると、前記ストッパー部が第１流下路の下端出口側から待避して第２流下路が第１流下路に連通して第２流下路の下端出口から球を球タンク内に供給可能な第１状態と、レバーが所定位置から外れると第１流下路の下端出口にストッパー部が位置して球の供給を停止する第２状態とに変換可能な遊技機島設備における球補給調整装置であって、
前記第１球流下路は、下端部分を縦方向から斜め下方に湾曲した湾曲流下部が形成され、該湾曲流下部の下端出口を斜め下方に向けて開口するように構成され、
前記可動流路部材は、前記第２流下路を区画形成する第１流路区画形成部と第２流路区画形成部を当該第２流下路の前後に形成するとともに、前記湾曲流下部の下端出口とは第１流下路を挟んで反対側の所定位置に配置した支軸を中心に回動可能な状態で固定側流路部材に取り付けられ、第１状態においては斜めに開口した第２流下路の上端開口部が湾曲流下部の下端出口に連通して該連通部分から第２流下路が湾曲して縦方向に延在し、第２状態においては前記上端開口部の後ろに位置する前記第１流路区画形成部の上端がストッパー部として第１流下路の下端出口の直ぐ下に位置して第１流下路内の球の流下を阻止するように構成されている、
ことを特徴とする遊技機島設備における球補給調整装置である。
【０００７】
請求項２に記載のものは、前記第１流下路が、下端出口が支軸を中心とする曲面に沿って成形され、
第２流下路は、上端開口部が支軸を中心とする曲面に沿って成形されていることを特徴とする請求項１に記載の遊技機島設備における球補給調整装置である。
【０００８】
請求項３に記載のものは、前記レバーが塑性変形可能な金属で構成され、レバーの所定部分を変形させることにより球タンクとの当接状態を調整可能としたことを特徴とする請求項１または請求項２に記載の遊技機島設備における球補給調整装置である。
【０００９】
請求項４に記載のものは、前記固定側流路部材がスライドベースに取り付けられ、該スライドベースは、遊技機島設備に固定された固定ベースに対して上下方向にスライド可能であることを特徴とする請求項１から請求項３のいずれかに記載の遊技機島設備における球補給調整装置である。
【００１０】
請求項５に記載のものは前記レバーの回動に連動して作動する検出器を備え、該検出器により前面枠の開放状態を検出可能としたことを特徴とする請求項１から請求項４のいずれかに記載の遊技機島設備における球補給調整装置である。
【００１１】
請求項６に記載のものは、前記スライドベース側に、前記検出器を可動流路部材に隣接した状態で取り付けるとともに、可動流路部材と一体的に回動する作動部材を設け、該作動部材を検出器の検出作動突起に当接可能とし、前記レバーの回動に伴って作動部材が回動して検出器の作動突起に作用し、前面枠の開放状態を検出可能としたことを特徴とする請求項５に記載の遊技機島設備における球補給調整装置である。
【００１２】
【発明の実施の形態】
以下、本発明の実施の形態を図面に基づいて説明する。
図１は代表的な弾球遊技機であるパチンコ機１を設置した遊技機設置島２の上横桟３に本発明に係る球補給調整装置４を取り付けた状態を示す斜視図、図２は球補給調整装置４の斜視図、図３は球補給調整装置４の分解斜視図、図４は球補給調整装置４の正面図である。
【００１３】
遊技機設置島２（以下、「島２」という）は、図１に示すように、上横桟３と下横桟５の間に複数のパチンコ機１と球貸機（図示せず）を並べて設置し、上部には球補給樋６を島２の長手方向に傾斜した状態で設け、上横桟３にはパチンコ機１ごとに球補給調整装置４を取り付け、各球補給調整装置４に球補給樋６から分岐した分岐管７を接続してある。また、この島２の内部には、長手方向のほぼ中央、あるいは端部に球揚送装置（図示せず）を設置するとともに、島２の下部に球回収樋（図示せず）を島２の長手方向に沿って設置し、各パチンコ機１から排出された球（アウト球）を球回収樋を介して球揚送装置に回収し、該球揚送装置により球を研磨しながら島２の上部の上部タンク（図示せず）に揚送し、該上部タンクから前記球補給樋６、分岐管７、及び球補給調整装置４を介して各パチンコ機１の球タンク８に球を供給（補給）するように構成されている。なお、球タンク８は、パチンコ機１の前面枠９の裏側上部に配設されている。
【００１４】
球補給調整装置４は、図２から図４に示すように、島２側（具体的には上横桟３の後面）に取り付けるための固定ベース１０と、該固定ベース１０に対して上下方向にスライド可能なスライドベース１１と、スライドベース１１に取り付けられ分岐管７の下端を接続する分岐管接続部１２と、該分岐管接続部１２に連通する第１流下路１３が縦方向に形成された固定側流路部材１４と、パチンコ機１の球タンク８に当接可能なレバー１５と、上記第１流下路１３に連通可能な第２流下路１６が形成されてレバー１５と一体的に回動する可動流路部材１７とから概略構成されている。なお、説明の便宜上、島２の前方、すなわち遊技者側を「前」、島２の内部側を「後」として、以下説明する。
【００１５】
固定ベース１０は、金属板を略門形に屈曲成形した部材であり、中央上横面部２０の上端を前方に屈曲して上固定面部２１を形成し、中央上横面部２０の左側に左縦面部２２を形成するとともに該左縦面部２２に溝状のレール部２３を縦方向に設け、中央上横面部２０の右側に断面コ字状のスライドガイド部２４を縦方向に設け、レール部２３の左側に突出した左側取付片２５、スライドガイド部２４の右側に突出した右側取付片２６、及び上固定面部２１にそれぞれ取付孔２７を開設してあり、また、スライドガイド部２４には高さ設定用のねじ孔２８を開設してある。
【００１６】
スライドベース１１は、金属板を成形した部材であり、取付面部３０の左側縁に固定ベース１０のレール部２３に嵌合する嵌合片３１を、右側縁にスライドガイド部２４に係合するガイド受部３２を形成し、該ガイド受部３２には縦方向に長い長孔３３を開設し、また、上記取付面部３０には、後述する各部品を取り付けるための取付孔３４を所定位置に開設してある。したがって、スライドベース１１の嵌合片３１を固定ベース１０のレール部２３内に遊嵌し、ガイド受部３２をスライドガイド部２４に係合すると、スライドベース１１を固定ベース１０に対して自由に高さ調整することができ、スライドベース１１の長孔３３内に通したビスをスライドガイド部２４のねじ孔２８に螺合して締め付けるとスライドベース１１を所望する高さに止めることができる。
【００１７】
スライドベース１１に取り付ける固定側流路部材１４は、本実施形態では、ブロック状の流路部材本体３６と、該流路部材本体３６の上部に取り付ける座部材３７と、流路部材本体３６の下部に取り付ける下部流路部材３８との３つの部材を組み合わせて構成されており、座部材３７、流路部材本体３６、及び下部流路部材３８の内部には、球を一列に通す第１流下路１３がほぼ垂直方向に一連に開設されている。
【００１８】
座部材３７は、横方向から垂直方向に屈曲した流路を内部に形成した屈曲流路部材３９を回動可能な状態で取り付ける座として機能する部材であり、左右に突設した取付片４０の孔内に通したビスをスライドベース１１の取付孔３４に締め込むことによりスライドベース１１の上部に取り付けられる。なお、屈曲流路部材３９は、横方向の流路を形成した丸パイプ状部分が、分岐管７の下端を接続するための分岐管接続部１２として機能する。本実施形態では、丸パイプ状部分に、流路方向に沿ったスリットを複数箇所形成し、分岐管７の下半部分を構成している可撓管７´の先端（下端）を流路内に差し込んで接続した状態で可撓管７´が抜け難いようにしてある。なお、可撓管７´としては、金属線材をパイプ状に巻成したコイル管や蛇腹管など公知のフレキシブルパイプを使用することができる。また、丸パイプ状部分に可撓管７´を差し込んだ状態で抜けを防止する抜け防止手段、例えば可撓管７´に係止する係止爪片を設けてもよい。
【００１９】
流路部材本体３６は、一側部分に第１流下路１３の一部を構成する流路を縦方向に形成した箱状の部材であり、流路に沿って細長い窓部４１を表面に開設されている。そして、一側部が、座部材３７の下部に形成された係合片３７´に係合した状態でスライドベース１１側に押圧され、他側部に開設したねじ孔４２内に挿入したビスをスライドベース１１の取付孔３４に螺合して締め付けることによりスライドベース１１に取り付けられる。また、この流路部材本体３６は、単に球を通すだけでも良いが、必要に応じて、内部に球係数器を設けてもよい。球係数器はどのような構成でもよいが、例えば、スプロケット（図示せず）の端部を流路内に臨ませた状態で流路部材本体３６の内部に設けるとともにスプロケットの回動量を検出する検出器（図示せず）を設け、スプロケットの外周部に形成した溝内に球が１つずつ嵌合した状態で流下することによりスプロケットが回転し、この回転量を検出器により検出することにより流下した球の数を計数し、所定数の球が流下するとスプロケットの回転をソレノイド駆動のストッパー部により停止する構成でもよい。
【００２０】
下部流路部材３８は、第１流下路１３の下端部分を形成した部材であり、縦方向から斜め下方に湾曲した湾曲流下部４３を内部に形成し、該湾曲流下部４３の下端出口４４を前方に向けて斜め下方に開口し、縦方向から斜めに湾曲する変曲部分の外側（湾曲方向とは逆側）の部分、すなわち湾曲流下部４３の下端出口４４とは第１流下路１３を挟んで反対側に支軸用の軸受部４５が形成されている。そして、第１流下路１３の下端出口４４は、その開口縁が支軸４６を中心とする曲面に沿って成形されている。この様な構成から成る下部流路部材３８をスライドベース１１に取り付ける場合には、下端出口４４が前方に向いた状態で取付孔４７内に挿入したビスをスライドベース１１の取付孔３４内に螺合して締め付ける。
【００２１】
したがって、座部材３７、流路部材本体３６、及び下部流路部材３８をスライドベース１１に取り付けると、分岐管接続部１２に接続された第１流下路１３がほぼ垂直に連通して下端出口４４が斜め前方に向いた状態になる。
【００２２】
可動流路部材１７は、第１流下路１３に連通可能な第２流下路１６を形成するとともに、第１流下路１３の下端出口４４の直ぐ下に入り込んで下端出口４４から球が流下することを阻止するストッパー部を設けた部材であり、図５（ｂ）に示すように、第１流下路１３がほぼ垂直になって球を球タンク８内に供給する第１状態のときに、第２流下路１６の上端開口部（入口）が後方に向けて斜めに開口するように開設され、この上端開口部５０から斜めに延在する流路が次第に垂直方向になるように第２流下路１６が形成されている。すなわち、第１流下路１３の下部において垂直方向に流下してきた球が斜めに流下して、第２流下路１６に入ると斜めに流下してから再び垂直方向に流下するように流路が後方に配置された第１流路区画形成部５２と前方に配置された第２流路区画形成部５３と左右に配置された壁状の流路区画形成部とにより形成されている。
【００２３】
第１流路区画形成部５２は、案内面となるほぼ垂直の短い前面と該前面の上端から斜め後方に下り傾斜した傾斜上端面とからなり、この傾斜上端面が後述する第１のストッパー部として機能する。一方、第２流路区画形成部５３は、上部がオーバーハング状に前方に傾斜してその下方の面がほぼ垂直に延在する後面と該後面の上端から前方に肉厚分だけ水平方向に延在する上端面とからなり、この上端面が後述する第２のストッパー部として機能する。なお、第１流路区画形成部５２の下端と第２流路区画形成部５３の下端とはほぼ同じ高さに位置するとともに、該第２流下路１６の上端開口部（入口）が後方に向けて斜めに開口するので、第１ストッパー部となる第１流路区画形成部５２の上端が第２ストッパー部となる第２流路区画形成部５３の上端よりも低い位置にある。
【００２４】
そして、第２流下路１６の左右を区画形成している壁状流路区画形成部から後方に向けて腕片５１をそれぞれ延設し、両腕片５１の先端を支軸４６により固定側流路部材１４、具体的には下部流路部材３８の軸受部４５に軸着して回動可能な状態で取り付けられる。
【００２５】
この様にして取り付けられた可動流路部材１７の上端開口部５０は、支軸４６を中心とする曲面に沿って成形され、斜めに開口した上端開口部５０の低い方の開口縁、すなわち第１流路区画形成部５２の上端が第１のストッパー部として機能し、反対側に位置する高い方の開口縁、すなわち第２流路区画形成部５３の上端が第２のストッパー部として機能するように両開口縁から支軸４６までの長さが設定されている。
【００２６】
また、一方の腕片５１の先端にレバー１５の上端部分を固定し、図５（ｂ）に示すように、可動流路部材１７が第１状態の時にレバー１５が斜め下方に延びて球タンク８の上端縁に当接するように設定してある。また、このレバー１５は、可動流路部材１７が真下を向く所定位置（第１状態）よりも後退した状態であっても球タンク８に当接する長さに設定されている。
【００２７】
そして、本実施形態では、レバー１５の回動により作動する検出器５５を備え、該検出器５５により前面枠９の開放状態を検出できるようにしてある。具体的には、スライドベース１１側に、前記検出器５５を可動流路部材１７に隣接した状態で取り付け、可動流路部材１７の一方の腕片５１から横方向に作動片５６を作動部材として突設し、該作動片５６が検出器５５に作用するように構成する。
【００２８】
前面枠９が所定位置まで閉じられた状態では、図６（ｂ）に示すように、レバー１５が球タンク８に押されて所定位置まで回動し、これに伴って作動片５６が回動して検出器５５の舌片５５ａとアクチュエータ（検出作動突起）５５ｂから離れて例えばオフにする一方、前面枠９が開かれると、図６（ａ）に示すように、球タンク８の前進によりレバー１５が前方に向けて回動し、これにより作動片５６が検出器５５の舌片５５ａとアクチュエータ５５ｂを押圧してオンにするように構成する。この様に、検出器をスライドベース１１側に固定し、この検出器に作用する作動部材をレバー１５や可動流路部材１７などの可動側に設けると、前面枠９の開放検知に関する部品を纏めて設置することができ、機能が付加されてもコンパクトに納めることができ、また、可動部品などの部品も少なくて済む。
【００２９】
なお、レバー１５は、図２に示すように、支軸４６に設けた付勢部材としてのスプリング５７により、下端が前方に向けて回動する方向、すなわち球タンク８側に付勢され、球タンク８の移動に伴って回動するように構成されている。したがって、レバー１５に連動する可動流路部材１７も第２状態となるように上記スプリング５７（付勢部材）により付勢されている。
【００３０】
また、図面に示す実施形態では、検出器５５をマイクロスイッチにより構成して作動片５６により検出作動突起を押圧するようにしたが、検出器はこれに限定されるものではない。例えば、発光素子と受光素子からなるフォトタイプの検出器をスライドベース側に設け、この検出器に作用する作動部材を遮光片として可動流路部材と一体的に回動する状態にして設け、該遮光片の回動により検出器の光を遮断・通過させて検出するように構成してもよい。
【００３１】
次に、上記した構成から成る球補給調整装置４の作用について作用について説明する。
まず、球補給調整装置４を島２に取り付ける場合には、固定ベース１０を島２の上横桟３にビスや釘で固定し、分岐管７の下端を分岐管接続部１２に接続する。そして、島２に設置したパチンコ機１の球タンク８の高さに合わせてスライドベース１１の上下位置を調整する。この場合、図５（ａ）に示すように、前面枠９を所定位置まで後退させて確実に閉じると、レバー１５が球タンク８の上端に押圧されて傾斜した状態で停止し、この状態で可動流路部材１７が真下を向くように調整することが望ましい。なお、図５（ａ）に示す状態では可動流路部材１７の下端が球タンク８の上端よりも少し高い位置にあるが、さらに下降して可動流路部材１７の下端が球タンク８の上面開口から少し低い位置に調整してもよい。なお、レバー１５の長さと傾斜角度は、平均的なパチンコ機１の球タンク８に合わせて、前面枠９を閉じると可動流路部材１７が球タンク８の中央で真下を向いてレバー１５が斜めになるように設定してある。そして、この平均的な範囲を超えた場合には、レバー１５が塑性変形可能な素材、例えば柔らかい鉄板で構成されているので、レバー１５の変形により球タンク８との当接状態を調整して可動流路部材１７が真下を向くように調整することができる。
【００３２】
可動流路部材１７がほぼ真下に向く第１状態においては、図５（ｂ）に示すように、第１，第２ストッパー部として機能する可動流路部材１７の上端開口部５０の第１，第２流路区画形成部５２，５３の上端が第１流下路１３の下端出口４４から外れて第１流下路１３と第２流下路１６とが連通するので、管理室からの補給信号により分岐管７の入口に設けられたゲートが開くと、球補給樋６から分岐管７を介して球補給調整装置４内に球が流れ込み、この球が第１流下路１３から第２流下路１６を流下し、第２流下路１６の下端開口部からほぼ垂直方向に流下し、これにより球を球タンク８内に供給することができる。そして、球が第１流下路１３の湾曲流下部４３を流下するときに流下勢が減殺され、また第２流下路１６内においても湾曲している部分を流下するときに流下勢が減殺されるので、球タンク８内に落下する際の球の速度が緩められる。したがって、供給した球が跳ね返って球タンク８の外に出てしまう不都合を低減することができる。
【００３３】
球詰まりや球止まりなどのトラブルが発生し、これを修復するため等で前面枠９を開いた場合、前面枠９を前方に回動するにしたがって球タンク８が前進し、球タンク８の前進に追従してレバー１５が下端を前進させる方向に回動する。すると、可動流路部材１７がレバー１５の回動に伴って下端を前進させる方向に回動する。この様にして可動流路部材１７が回動すると、図５（ａ）に示すように、第１ストッパー部として機能する第１流路区画形成部５２の上端が第１流下路１３の下端出口４４の直ぐ下に移動する。したがって、前面枠９を開いた時に球の補給（供給）が行われていたとしても、第１ストッパー部が第１流下路１３の下端出口４４から球が流出することを阻止することができる（第２状態）。このため、この第２状態においては、球タンク８に供給されるべき球が、不用意に島２の内部に流れ落ちてしまうトラブルを未然に防止することができる。
【００３４】
そして、球は湾曲した流路で停止するので、球圧が低減され、流路が垂直にした場合に比較してストッパー部の強度を高める必要がなくなる。したがって、ストッパー部を必ずしも丈夫な金属製にすることもなく、例えば、合成樹脂製の可動流路部材１７とストッパー部とを一体成型することができ、これにより構成の簡素化と部品点数の減少を図ることができる。
【００３５】
また、可動流路部材１７が回動することにより第１ストッパー部が第１流下路１３の下端出口４４の直ぐ下に入り込んで球の流下を阻止する際に、第１流下路１３の下端出口４４と第２流下路１６の上端開口部５０が支軸４６を中心とする曲面に沿って成形され、尚且つ第１ストッパー部が第２流下路１６の上端開口部５０の縁に配設されているので、下端出口４４の開口縁と上端開口部５０の開口縁との間の隙間を小さく設定しても可動流路部材１７が円滑に回動し、第１ストッパー部が迅速に下端出口４４の下に移動することができる。しかも、流路の湾曲により球の流下勢が弱められているので、第１ストッパー部の球停止機能が迅速且つ確実に行われる。
【００３６】
トラブルの修復作業が終了して前面枠９を閉じると、球タンク８が後退してレバー１５を回動するので、可動流路部材１７が真下に向く第１状態に復帰する。
【００３７】
また、前面枠９を閉じた際に、何らかのトラブルにより前面枠９が所定位置よりも奥まで入り込むと、球タンク８がレバー１５を所定角度（所定位置）よりも過大に回動するので、可動流路部材１７が第１状態の所定位置よりもオーバーランして真下を向かない。このオーバーラン状態においては、可動流路部材１７の第２ストッパー部として機能する第２流路区画形成部５３の上端が第１流下路１３の下端出口４４の直ぐ下に入り込む。したがって、万一前面枠９が所定位置を越えて閉じたり、あるいは球タンク８の取り付けが万一緩んで所定位置を越えて置くまで入り込んだとしても、第２ストッパー部が第１流下路１３の下端出口４４から球が流出することを阻止する第２状態に変換することができる。このため、前面枠９を確実に閉じて球タンク８が所定位置に停止した状態においてのみ、球タンク８に球を供給することができる。
【００３８】
ところで、今回開示した実施の形態は、全ての点で例示であって制限的なものではないと考えられるべきである。よって、本発明は、上記実施の形態に限定されず、本発明の範囲は上記した説明ではなくて特許請求の範囲によって示され、特許請求の範囲と均等の意味および内容の範囲での全ての変形、変更が含まれることが意図される。
【００３９】
例えば、前記した実施形態ではパチンコ機１を例に挙げたが、遊技機はこれに限定されるものではなく、例えば雀球遊技機、アレンジボール式遊技機など遊技球を使用する遊技機であればよい。
【００４０】
また、球補給調整装置４を取り付ける島２の部位に関しては、前記した実施形態では上横桟３に取り付けたが、島２側の部位であればよい。
【００４１】
さらに、レバー１５は、球タンク８に押圧されて移動するものであればよく、回動する形式に限らない。例えば、前後方向に移動するレバー１５でもよい。この場合、可動流路部材１７との間はリンク機構等の伝達機構を介して連携し、レバー１５が後退すると可動流路部材１７が回動するように構成する。
【００４２】
【発明の効果】
以上説明したように本発明によれば、以下の効果を奏する。
請求項１の発明によれば、球をほぼ真下に向けて供給するので、球タンク内に確実に供給することができ、途中の流路が湾曲しているので、球の流下勢を緩めた状態で供給することができる。したがって、一旦供給した球が球タンク内から跳ねて飛び出すことを防止できる。
【００４３】
請求項２の発明によれば、第１流下路の下端出口が支軸を中心とする曲面に沿って成形され、第２流下路の上端開口部が支軸を中心とする曲面に沿って成形されるので、湾曲した流路が形成されて連通部分が斜めになるように構成しても可動流路部材の回動が円滑である。
【００４４】
請求項３の発明によれば、レバーが塑性変形可能な金属で構成され、レバーの変形により球タンクとの当接状態を調整可能なので、設置される遊技機の球タンクの位置が機種やメーカーにより異なっていても、容易に対処することができる。
【００４５】
請求項４の発明によれば、固定側流路部材はスライドベースに取り付けられ、該スライドベースが遊技機島設備に固定された固定ベースに対して上下方向にスライド可能なので、球タンクの高さが異なる遊技機であっても一層容易に対処することができる。
【００４６】
請求項５の発明によれば、レバーの回動により作動する検出器を備え、該検出器により前面枠の開放状態を検出可能としたので、遊技機側に設けていた前面枠開放検出器が不要となる。したがって、遊技機を交換しても、前面枠開放検出用の検出器を継続して使用することができ、無駄な配線作業も不要となり、資源の有効利用にも寄与する。
【００４７】
請求項６の発明によれば、検出器を可動流路部材に隣接した状態で取り付けるとともに、可動流路部材と一体的に回動する作動部材を設け、該作動部材を検出器の検出作動突起に当接可能としたので、小型化できる。
【図面の簡単な説明】
【図１】パチンコ機を設置した遊技機設置島の上横桟に本発明に係る球補給調整装置を取り付けた状態を示す斜視図である。
【図２】球補給調整装置の斜視図である。
【図３】球補給調整装置の分解斜視図である。
【図４】球補給調整装置の正面図である。
【図５】（ａ）は可動流路部材が斜めになって球の供給を停止している第２状態における球補給調整装置の図４中Ａ−Ａの断面図、（ｂ）は可動流路部材が垂直になって球を真下に供給している第１状態における球補給調整装置の図４中Ａ−Ａの断面図である。
【図６】（ａ）は前面枠を開いた状態の検出器の側面図、（ｂ）は前面枠を閉じた状態の検出器の側面図である。
【符号の説明】
１　パチンコ機
２　遊技機設置島
３　上横桟
４　球補給調整装置
５　下横桟
６　球補給樋
７　分岐管
８　球タンク
９　前面枠
１０　固定ベース
１１　スライドベース
１２　分岐管接続部
１３　第１流下路
１４　固定側流路部材
１５　レバー
１６　第２流下路
１７　可動流路部材
２０　中央上横面部
２１　上固定面部
２２　左縦面部
２３　レール部
２４　スライドガイド部
２５　左側取付片
２６　右側取付片
２７　取付孔
２８　ねじ孔
３０　取付面部
３１　嵌合片
３２　ガイド受部
３３　長孔
３４　取付孔
３６　流路部材本体
３７　座部材
３８　下部流路部材
３９　屈曲流路部材
４０　取付片
４１　窓部
４２　ねじ孔
４３　湾曲流下部
４４　下端出口
４５　軸受部
４６　支軸
４７　取付孔
５０　上端開口部
５１　腕片
５２　第１流路区画形成部
５３　第２流路区画形成部
５５　検出器
５５ａ　舌片
５５ｂ　アクチュエータ
５６　作動片
５７　スプリング
【図１】
2004081505.tif 000003
【図２】
2004081505.tif 000004
【図３】
2004081505.tif 000005
【図４】
2004081505.tif 000006
【図５】
2004081505.tif 000007
【図６】
2004081505.tif 000008